Podtech/llm-jp-corpus-v4-ja_patent huggingface dataset:
【手続補正書】
【提出日】平成21年4月2日(2009.4.2)
【手続補正１】
【補正対象書類名】特許請求の範囲
【補正対象項目名】請求項１
【補正方法】変更
【補正の内容】
【請求項１】
導電性の基体と、該基体上にアモルファスシリコンを用いて形成された光導電層と、金属フッ化物、金属酸化物及び金属窒化物から選択されるいずれか１種の材料から形成された表面層とを有する電子写真用感光体であって、
該表面層が、該光導電層に接触して設けられたアモルファス構造を有する第１の領域と、表面に設けられた結晶構造を有する第２の領域とを有し、
該第１の領域と該第２の領域とが、共に、金属フッ化物、金属酸化物及び金属窒化物から選択されるいずれか１種の材料から形成されている
ことを特徴とする電子写真用感光体。
【手続補正２】
【補正対象書類名】明細書
【補正対象項目名】００１７
【補正方法】変更
【補正の内容】
【００１７】
すなわち、本発明は、導電性の基体と、該基体上にアモルファスシリコンを用いて形成された光導電層と、金属フッ化物、金属酸化物及び金属窒化物から選択されたいずれか１種の材料から形成された表面層とを有する電子写真用感光体であって、該表面層が、該光導電層に接触して設けられたアモルファス構造を有する第１の領域と、表面に設けられた結晶構造を有する第２の領域とを有し、該第１の領域と該第２の領域とが、共に、金属フッ化物、金属酸化物及び金属窒化物から選択されるいずれか１種の材料から形成されていることを特徴とする電子写真用感光体に関する。
【手続補正３】
【補正対象書類名】明細書
【補正対象項目名】００１９
【補正方法】変更
【補正の内容】
【００１９】
本発明の電子写真用感光体は、導電性の基体と、該基体上にアモルファスシリコンを用いて形成された光導電層と、金属フッ化物、金属酸化物及び金属窒化物から選択されたいずれか１種の材料から形成された表面層とを有する電子写真用感光体であって、該表面層が、該光導電層に接触して設けられたアモルファス構造を有する第１の領域と、表面に設けられた結晶構造を有する第２の領域とを有し、該第１の領域と該第２の領域とが、共に、金属フッ化物、金属酸化物及び金属窒化物から選択されるいずれか１種の材料から形成されていることを特徴とする。
【手続補正４】
【補正対象書類名】明細書
【補正対象項目名】００２９
【補正方法】変更
【補正の内容】
【００２９】
本発明の電子写真用感光体の表面層としては、金属フッ化物、金属酸化物及び金属窒化物から選択されたいずれか１種を含み、光導電層と接触して設けられるアモルファス構造を有する第１の領域と、表面に設けられる結晶構造を有する第２の領域とを有し、第１の領域及び第２の領域が同じ物質からなることが好ましい。
【手続補正５】
【補正対象書類名】明細書
【補正対象項目名】００３０
【補正方法】変更
【補正の内容】
【００３０】
表面層を形成する材料としては、金属フッ化物、金属酸化物及び金属窒化物からいずれか1種類を選択して使用する。金属フッ化物としては、具体的にはフッ化マグネシウム（ＭｇＦ2）、フッ化バリウム（ＢａＦ2）、フッ化ランタン（ＬａＦ3）等を挙げることができる。また、金属酸化物としては、具体的には、酸化アルミニウム（Ａｌ2Ｏ3）、酸化亜鉛（ＺｎＯ）、酸化錫（ＳｎＯ2）、酸化ケイ素（ＳｉＯ2）、酸化マグネシウム（ＭｇＯ）などを挙げることができる。また、金属窒化物としては、具体的には、窒化珪素（Ｓｉ3Ｎ4）、窒化アルミ（ＡｌＮ）等を挙げることができる。これらの各材料において、金属原子とフッ素原子、酸素原子、窒素原子との原子の比率は必ずしも上記化合物における原子比に限るものではなく、原子の組成比が異なるものであってもよい。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
データ処理を行う装置本体であって、外部装置と通信を行う通信部と、該装置本体でのデータ処理に関連する所定通常入力を受け付ける通常入力受付部とを有する装置本体と、
前記装置本体の有する前記通信部と前記通常入力受付部とを覆うカバー部と、
前記装置本体でのデータ処理についてのユーザの指示入力が行われる入力部と、
前記入力部への入力に従って、前記カバー部を、前記通常入力受付部のみが露出され前記通信部での通信が制限される第一オープン状態と、前記通信部が露出され該通信部を介した前記外部装置との通信が可能となる第二オープン状態の何れかに置くオープン状態制御手段と、
を備えることを特徴とするデータ処理装置。
【請求項２】
前記カバー部は、前記第一オープン状態に置かれるとき前記装置本体の前方で傾斜し又はスライドすることで前記通常入力受付部のみを露出させ、前記第二オープン状態に置かれるとき該第一オープン状態時よりも更に傾斜し又はスライドすることで前記通常入力受付部および前記通信部を露出させることを特徴とする請求項１に記載のデータ処理装置。
【請求項３】
処理の対象となるデータと、該データを第一基準に従って管理するための第一管理データとが記憶される記憶装置と、
外部装置が接続され、該外部装置と前記記憶装置との間でデータ転送が行われる転送部と、
前記第一管理データに基づいて前記データの再生を行い、且つ、前記第一基準とは異なる第二基準に従って前記外部装置が該データを管理するための管理データであって、該第二基準によって前記第一管理データから形成される第二管理データに基づいて、前記転送部を介して該データを該外部装置に転送するデータ処理手段と、
前記転送部に対して前記外部装置が接続状態となっているか否かを判定する接続判定手段と、
前記接続判定手段によって、前記転送部に対して前記外部装置が接続状態となっていると判定されるとき、ユーザに対して前記データ処理手段によるデータ転送を行う意思があるか否かを確認する確認手段と、
前記確認手段によって、ユーザは前記データ処理手段によるデータ転送を行う意思があると確認されると、該データ処理手段によって、前記記憶装置に記憶された前記データの
前記第二管理データに基づく前記外部装置への転送を実行するデータ転送実行手段と、
を備えることを特徴とするデータ処理装置。
【請求項４】
処理の対象となるデータと、該データを第一基準に従って管理するための第一管理データとが記憶される記憶装置と、
外部装置が接続され、該外部装置と前記記憶装置との間でデータ転送が行われる転送部と、
前記第一管理データに基づいて前記データの再生を行い、且つ、前記第一基準とは異なる第二基準に従って前記外部装置が該データを管理するための管理データであって、該第二基準によって前記第一管理データから形成される第二管理データに基づいて、前記転送部を介して該データを該外部装置に転送するデータ処理手段と、
前記転送部に対して前記外部装置が接続状態となっているか否かを判定する接続判定手段と、
前記接続判定手段によって前記転送部に対して前記外部装置が接続状態となっていると判定されると、前記第二基準による前記第一管理データからの前記第二管理データの形成を実行する管理データ形成実行手段と、
前記管理データ形成実行手段によって前記管理データの形成が実行された後に、前記接続状態にある外部装置を、前記データ処理手段によるデータの転送が可能となる転送可能状態に設定する転送可能設定手段と、
を備えることを特徴とするデータ処理装置。
【請求項５】
前記第二管理データが形成されるときに前記データ処理手段によって前記第一管理データに基づく前記データの再生が行われている場合、該データの再生を停止するデータ再生停止手段を、更に備えることを特徴とする請求項３又は請求項４に記載のデータ処理装置。
【請求項６】
前記外部装置は、該外部装置が有する他のデータが前記転送部を介して前記記憶装置に転送されるとき前記第二基準に従って該外部装置が該他のデータを管理するための外部装置側第二管理データを有し、
前記外部装置が有する他のデータが前記外部装置側第二管理データに基づいて前記記憶装置に転送されたとき、該転送後に、前記第一管理データは該外部装置側第二管理データに基づいて再形成される
ことを特徴とする請求項３から請求項５の何れかに記載のデータ処理装置。
【請求項７】
前記第一管理データが該外部装置側第二管理データに基づいて再形成されたとき、前記データ処理手段によって前記第一管理データに基づく前記データの再生が行われていない場合、該データの再生を開始することを特徴とする請求項６に記載のデータ処理装置。
【請求項８】
前記データ処理手段によるデータ転送が行われているとき、該データ転送を除くデータ処理が禁止されることを特徴とする請求項３から請求項７の何れかに記載のデータ処理装置。
【請求項９】
データ処理を行う装置本体であって、外部装置と通信を行う通信部と、該装置本体で使用されるデータを記録した記録媒体の挿入口とを有する装置本体と、
前記装置本体の有する前記通信部と前記挿入口とを覆うカバー部と、
前記装置本体でのデータ処理についてのユーザの指示入力が行われる入力部と、
前記入力部への入力に従って、前記カバー部のオープン状態を、前記挿入口を露出し前記通信部を覆う第一オープン状態と、前記通信部が露出され該通信部を介した前記外部装置との通信が可能となる第二オープン状態との少なくとも２つのオープン状態の何れかに選択するオープン状態制御手段と、
を備えることを特徴とするデータ処理装置。
【請求項１０】
前記装置本体は、データを記録可能な記録装置を有し、
前記記録媒体が前記挿入口に挿入されることで、該記録媒体に記録されているデータが前記記録装置に蓄積可能であり、
前記通信部は、前記記録装置に蓄積されたデータに対して該データの著作権保護に関する所定の処理が施されたデータを、前記外部装置に対して出力可能である、
請求項９に記載のデータ処理装置。
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
話者認証の登録の方法であって、
話者の登録発声から音響的特徴ベクトルシーケンスを抽出することと、
前記音響的特徴ベクトルシーケンスを使って話者テンプレートを生成することと、
を備え、
音響的特徴ベクトルシーケンスを抽出する前記ステップは、
前記登録発声に基づいて、前記登録発声のスペクトルにおけるフォルマントの位置とエネルギーをフィルタリングする、前記話者の前記登録発声のためのフィルタバンクを生成することと、
前記生成されたフィルタバンクによって前記登録発声の前記スペクトルをフィルタリングすることと、
前記フィルタリングされた登録発声から前記音響的特徴ベクトルシーケンスを生成することと、
を備える話者認証登録方法。
【請求項２】
前記登録発声のためのフィルタバンクを生成する前記ステップは、
前記登録発声中の各フレームをＬＰＣ解析して、前記フレームのＬＰＣ係数ベクトルを取得することと、
前記取得された各フレームのＬＰＣ係数ベクトルをＬＳＰ解析して、前記フレームの線スペクトル対（ＬＳＰ）を取得することと、
前記登録発声中の全フレームの前記ＬＳＰを、前記登録発声のための前記フィルタバンクとして組み合わせることと、
を備える、請求項１に記載の話者認証登録方法。
【請求項３】
前記登録発声のためのフィルタバンクを生成する前記ステップは、
フォルマント推定法を使って前記登録発声中の各フレームを解析することによって、前記フレームのフォルマント位置ベクトルを取得することと、
前記登録発声中の全フレームの前記フォルマント位置ベクトルを、前記フィルタバンクとして組み合わせることと、
を備える、請求項１に記載の話者認証登録方法。
【請求項４】
前記登録発声の前記スペクトルをフィルタリングする前記ステップは、
前記登録発声中の各フレームを高速フーリエ変換して、前記フレームのフレームスペクトルを取得することと、
前記フィルタバンクを用いて各フレームの前記フレームスペクトルをフィルタリングすることと、
を備える、請求項１に記載の話者認証登録方法。
【請求項５】
話者の登録発声から音響的特徴ベクトルシーケンスを抽出する前記ステップは、
話者の複数の登録発声から複数の音響的特徴ベクトルシーケンスを抽出することを備え、
話者テンプレートを生成する前記ステップは、
抽出された前記複数の音響的特徴ベクトルシーケンスをマージして前記話者テンプレートを生成することを備える、請求項１に記載の話者認証登録方法。
【請求項６】
前記各登録発声に関して、前記登録発声の前記スペクトルをフィルタリングするためにフィルタバンクが生成され、
前記方法は、前記話者の前記複数の登録発声のために個々に生成された複数のフィルタバンクをマージすることをさらに備える、請求項１に記載の話者認証登録方法。
【請求項７】
話者認証の確認の方法であって、
入力発声から音響的特徴ベクトルシーケンスを抽出することと、
話者テンプレートと、前記抽出された音響的特徴ベクトルシーケンスに基づいて、前記入力発声が、話者によって発話された登録済みパスワードの発声であるかどうか判定することと、
を備え、
前記話者テンプレートは、請求項１から６のいずれか１項に記載の話者認証登録方法を使って生成され、
入力発声から音響的特徴ベクトルシーケンスを抽出する前記ステップは、
登録時に前記話者の登録発声のために生成されるフィルタバンクを使って前記入力発声のスペクトルをフィルタリングすることと、
前記フィルタリングされた入力発声から前記音響的特徴ベクトルシーケンスを生成することと、
を備える方法。
【請求項８】
話者認証の登録の装置であって、
話者によって発話されるパスワードを含む登録発声を入力するように構成された発声入力ユニットと、
前記登録発声から音響的特徴ベクトルシーケンスを抽出するように構成された音響的特徴抽出器と、
前記音響的特徴ベクトルシーケンスを使って話者テンプレートを生成するように構成されたテンプレート生成器と、
を備え、
前記音響的特徴抽出器は、
前記登録発声に基づいて前記話者の前記登録発声のためのフィルタバンクを生成するように構成されたフィルタバンク生成器と、
前記登録発声のための前記生成されるフィルタバンクを用いて、前記登録発声のスペクトルをフィルタリングするように構成されたフィルタリングユニットと、
を備える話者認証登録装置。
【請求項９】
話者認証の確認の装置であって、
発声を入力するように構成された発声入力ユニットと、
前記入力発声から音響的特徴ベクトルシーケンスを抽出するように構成された音響的特徴抽出器と、
請求項１から６のいずれか１項に記載の話者認証の登録の方法を使って生成される登録済みの話者テンプレートを、前記抽出される音響的特徴ベクトルシーケンスと比較することによって、前記入力発声が、話者によって発話された登録済みパスワードの発声であるかどうか判定するように構成された判定ユニットと、
を備え、
前記音響的特徴抽出器は、
登録時に前記話者の登録発声のために生成されるフィルタバンクを使って前記入力発声のスペクトルをフィルタリングするように構成されたフィルタリングユニットを備える話者認証確認装置。
【請求項１０】
話者認証のシステムであって、
請求項８項に記載の話者認証登録装置と、
請求項９に記載の話者認証確認装置と、
を備えるシステム。
【手続補正書】
【提出日】平成21年5月19日(2009.5.19)
【手続補正１】
【補正対象書類名】明細書
【補正対象項目名】発明の名称
【補正方法】変更
【補正の内容】
【発明の名称】Ｆ０および休止予測モデルを訓練する方法並びにＦ０および休止予測方法および装置
【手続補正２】
【補正対象書類名】特許請求の範囲
【補正対象項目名】全文
【補正方法】変更
【補正の内容】
【特許請求の範囲】
【請求項１】
Ｆ０予測モデルを訓練する方法であって、
直交多項式を用いてＦ０を表すことと、
前記直交多項式の各パラメータごとに、Ｆ０予測に関連する複数の属性と、前記複数の属性の可能な属性組み合わせの少なくとも一部を用いて、前記複数の属性と前記属性組み合わせの各々が項目として含まれる初期パラメータ予測モデルを生成することと、
前記パラメータ予測モデル中の前記各項目の重要度を計算することと、
最低算出重要度を有する前記項目を削除することと、
残りの前記項目を用いてパラメータ予測モデルを再生成することと、
前記再生成パラメータ予測モデルが最適モデルであるか否かを判定することと、
前記パラメータ予測モデルが最適モデルではないと判定された場合、前記新規再生成パラメータ予測モデルを用いて、重要度を計算する前記ステップおよび重要度を計算する前記ステップに続く前記各ステップを繰り返すことと
を含み、
前記直交多項式および前記直交多項式の全てのパラメータ予測モデルがＦ０予測モデルを形成する、Ｆ０予測モデル訓練方法。
【請求項２】
Ｆ０予測に関連する前記複数の属性は、言語型と音声型の属性を含む、請求項１に記載のＦ０予測モデル訓練方法。
【請求項３】
Ｆ０予測に関連する前記複数の属性は、現在の音素、同じ音節中の別の音素、前の音節中の隣接する音素、次の音節中の隣接する音素、現在の音節の音調、前の音節の音調、次の音節の音調、音声の部分、次の休止までの距離、前の休止までの距離、内容語中の音素位置、現在、前および次の内容語の長さ、内容語中の音節の数、文章中の音節位置、および文章中の内容語の数の中から選択されるいずれかを含む、請求項１に記載のＦ０予測モデル訓練方法。
【請求項４】
前記複数の属性の可能な属性組み合わせの前記少なくとも一部は、Ｆ０予測に関連する前記複数の属性のすべての２次属性組み合わせを含む、請求項１に記載のＦ０予測モデル訓練方法。
【請求項５】
前記パラメータ予測モデル中の前記各項目の重要度を計算する前記ステップは、Ｆ検定を用いて前記各項目の前記重要度を計算することを含む、請求項１乃至４のいずれか１項に記載のＦ０予測モデル訓練方法。
【請求項６】
前記再生成されたパラメータ予測モデルが最適モデルであるか否かを判定する前記ステップは、ベイズ情報量基準（ＢＩＣ）に基づいて前記再生成されたパラメータ予測モデルが最適モデルであるか否かを判定することを含む、請求項１乃至５のいずれか１項に記載のＦ０予測モデル訓練方法。
【請求項７】
Ｆ０予測方法であって、
請求項１乃至６のいずれか１項に記載のＦ０予測モデル訓練方法を使ってＦ０予測モデルを訓練することと、
Ｆ０予測に関連する前記複数の属性の対応する値を取得することと、
前記Ｆ０予測モデルと、Ｆ０予測に関連する前記複数の属性の前記対応する値に基づいてＦ０を計算することと
を含むＦ０予測方法。
【請求項８】
Ｆ０予測装置であって、
請求項１乃至６のいずれか１項に記載のＦ０予測モデル訓練方法を使って訓練されるＦ０予測モデルと、
Ｆ０予測に関連する前記複数の属性の対応する値を取得するように構成された属性取得ユニットと、
前記Ｆ０予測モデルと、Ｆ０予測に関連する前記複数の属性の前記対応する値に基づいてＦ０を計算するように構成されたＦ０計算器と、
を備えるＦ０予測装置。
【請求項９】
休止確率予測モデルを訓練する方法であって、
休止予測に関連する複数の属性と、前記複数の属性の可能な属性組み合わせの少なくとも一部を用いて、前記複数の属性と前記属性組み合わせの各々が項目として含まれる初期休止確率予測モデルを生成することと、
前記休止確率予測モデル中の前記各項目の重要度を計算することと、
最低算出重要度を有する前記項目を削除することと、
残りの前記項目を用いて休止確率予測モデルを再生成することと、
前記再生成休止確率予測モデルが最適モデルであるか否かを判定することと、
前記休止確率予測モデルが最適モデルではないと判定された場合、前記新規再生成休止確率予測モデルを用いて、重要度を計算する前記ステップと重要度を計算する前記ステップに続く各ステップを繰り返すことと
を含む、休止確率予測モデル訓練方法。
【請求項１０】
休止予測装置であって、
請求項９に記載の休止確率予測モデル訓練方法を使って訓練される休止確率予測モデルと、
休止予測に関連する前記複数の属性の対応する値を取得するように構成された属性取得ユニットと、
前記休止確率予測モデルと、休止予測に関連する前記複数の属性の前記対応する値に基づいて休止確率を計算するように構成された休止確率計算器と、
前記算出休止確率を閾値と比較して休止を取得するように構成された比較器と
を備える休止予測装置。
【手続補正書】
【提出日】平成21年10月9日(2009.10.9)
【手続補正１】
【補正対象書類名】特許請求の範囲
【補正対象項目名】請求項１０
【補正方法】変更
【補正の内容】
【請求項１０】
請求項１に記載のトナーの製造方法であって、
重合性単量体、着色剤、および二重結合を有する付加反応性樹脂を含有する単量体組成物を水系媒体中で造粒し、重合してトナー母粒子を製造する工程を有し、
該付加反応性樹脂が、重クロロホルムを溶媒に用いた１H−NMRの測定において、４．６〜４．９ｐｐｍと５．０〜５．２ｐｐｍに二重結合に由来するピークが観察される、THF可溶分の重量平均分子量が２０００〜６０００であるスチレン樹脂であることを特徴とするトナーの製造方法。
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
トナー像を担持する第１像担持体と、
回転プーリ間に捲回されて回動走行する無端状で前記第１像担持体に接触してトナー像が転写される第２像担持体と、
前記第１像担持体よりも上流側で前記第２像担持体に接離する位置に配置され、接触時に前記第２像担持体上に付着した付着物を拭い取って除去するクリーニングデバイスと、
を備えた画像形成装置において、
前記第１像担持体で作像中の画像から次画像作像までの時間、前記クリーニングデバイスを前記第２像担持体から離間させるよう制御可能に構成されたことを特徴とする画像形成装置。
【請求項２】
前記クリーニングデバイスの離間制御が、
前記第１像担持体において画像先端の形成開始による書き出し信号を検出してから、画像長さが所定長さ分だけ形成された時間経過後に次画像の書き出し信号を検出するまでの時間、前記クリーニングデバイスを前記第２像担持体から離間させるものであることを特徴とする請求項１に記載の画像形成装置。
【請求項３】
前記クリーニングデバイスが、前記第２像担持体の上流側と下流側にそれぞれ配置された第１，第２クリーニングデバイスからなり、
前記第１クリーニングデバイスは前記第２像担持体上に残留した主にトナーを除去するとともに、
前記第２クリーニングデバイスは前記第２像担持体上に残留した主にトナー外添剤を除去する、ことを特徴とする請求項１または２に記載の画像形成装置。
【請求項４】
前記第１クリーニングデバイスがファーブラシ方式で構成され、前記第２クリーニングデバイスが前記第２像担持体に接離するウェブ部材を有するウェブ方式で構成されていることを特徴とする請求項３に記載の画像形成装置。
【請求項５】
前記ウェブ部材が前記第２像担持体から離間している間に通過したトナーおよびトナー外添剤は、前記第１像担持体まで移動したときにそこに備わるクリーニング手段で除去されることを特徴とする請求項４に記載の画像形成装置。
【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
トナー像を担持する像担持体と、
前記像担持体に接触しながら回転し、前記像担持体上の前記トナー像を記録材へ転写する転写ローラと、
前記転写ローラを回転させる駆動手段と、
前記転写ローラと前記像担持体を接触離間させる接離手段と、
前記転写ローラと前記像担持体の接触時及び離間時に、回転する前記転写ローラに接触し、前記転写ローラに付着するトナーを静電的に除去するクリーニング部材と、
前記転写ローラと前記クリーニング部材の間にクリーニング電流を流す電源とを備え、
前記接触時の前記クリーニング電流の電流値が前記離間時の前記クリーニング電流の電流値よりも大きくなるように、前記クリーニング電流の電流値を制御する制御手段を有することを特徴とする画像形成装置。
【請求項２】
前記転写ローラの回転負荷に応じて、前記駆動手段が前記転写ローラへ与える駆動力を制限する手段を有することを特徴とする請求項１項の画像形成装置。
【請求項３】
前記クリーニング部材はブラシであることを特徴とする請求項１又は２項記載の画像形成装置。
【手続補正２】
【補正対象書類名】明細書
【補正対象項目名】００１２
【補正方法】変更
【補正の内容】
【００１２】
本発明の画像形成装置は、トナー像を担持する像担持体と、前記像担持体に接触しながら回転し、前記像担持体上の前記トナー像を記録材へ転写する転写ローラと、前記転写ローラを回転させる駆動手段と、前記転写ローラと前記像担持体を接触離間させる接離手段と、前記転写ローラと前記像担持体の接触時及び離間時に、回転する前記転写ローラに接触し、前記転写ローラに付着するトナーを静電的に除去するクリーニング部材と、前記転写ローラと前記クリーニング部材の間にクリーニング電流を流す電源とを備え、前記接触時の前記クリーニング電流の電流値が前記離間時の前記クリーニング電流の電流値よりも大きくなるように、前記クリーニング電流の電流値を制御する制御手段を有することを特徴とするものである。
【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
外部機器から映像信号を受信する受信手段と、
前記受信手段により受信した映像信号に基づく映像を出力する出力手段と、
前記受信手段による映像信号の受信が可能であり、かつ前記出力手段による映像の出力が可能でない場合、前記映像信号の送信を停止させる信号を前記外部装置に送信する送信手段とを有することを特徴とする映像出力装置。
【請求項２】
前記出力手段による映像の出力が可能でない場合とは、前記映像出力装置が起動状態にある場合であることを特徴とする請求項１記載の映像出力装置。
【請求項３】
前記出力手段による映像の出力が可能か否かを判定する判定手段をさらに有し、
前記映像信号の送信を停止させる信号を送信した後、前記出力手段による映像の出力が可能であると判定された場合、前記送信手段は前記映像信号の送信を開始させる信号を前記外部装置に送信することを特徴とする請求項１又は２記載の映像出力装置。
【請求項４】
前記受信手段により前記映像信号を受信するために通信する外部機器を切り替える切り替え手段をさらに有し、
前記出力手段による映像の出力が可能ではない場合とは、前記映像出力装置が前記切り替え手段による切り替えを行っている状態にある場合であることを特徴とする請求項１乃至３のいずれか１項に記載の映像出力装置。
【請求項５】
前記出力手段は、レンズを介して映像を投影することを特徴とする請求項１乃至４のいずれか１項に記載の映像出力装置。
【請求項６】
外部機器から映像信号を受信する受信ステップと、
前記受信ステップにおいて受信した映像信号に基づく映像を出力する出力ステップと、
前記受信ステップでの映像信号の受信が可能であり、かつ前記出力ステップでの映像の出力が可能でない場合、前記映像信号の送信を停止させる信号を前記外部装置に送信する送信ステップとを有することを特徴とする映像出力方法。
【請求項７】
コンピュータを、
外部機器から映像信号を受信する受信手段と、
前記受信手段により受信した映像信号に基づく映像を出力する出力手段と、
前記受信手段による映像信号の受信が可能であり、かつ前記出力手段による映像の出力が可能でない場合、前記映像信号の送信を停止させる信号を前記外部装置に送信する送信手段として機能させることを特徴とするコンピュータ読み取り可能なプログラム。
【手続補正２】
【補正対象書類名】明細書
【補正対象項目名】発明の名称
【補正方法】変更
【補正の内容】
【発明の名称】映像出力装置、映像出力方法、及びプログラム
【手続補正３】
【補正対象書類名】明細書
【補正対象項目名】０００１
【補正方法】変更
【補正の内容】
【０００１】
本発明は、映像出力装置、映像出力方法、及びプログラムに関し、特に、外部機器と接続して映像出力を行うものに関する。
【手続補正４】
【補正対象書類名】明細書
【補正対象項目名】０００５
【補正方法】変更
【補正の内容】
【０００５】
しかしながら、上記従来の投影機器では、前述のように起動に時間がかかるため、電源投入後の映像出力が開始されるまでの間において、映像入力装置から映像データが送られることがあると、その映像データに基づく映像は投影機器によって出力が行われない。そのため、投影機器のユーザは、電源投入直後の再生映像を見落としてしまうという問題があった。
【手続補正５】
【補正対象書類名】明細書
【補正対象項目名】０００６
【補正方法】変更
【補正の内容】
【０００６】
また、上記従来の通信制御方法では、投影機器の起動時において投影機器が、接続映像入力装置の操作可能範囲を問い合わせ、操作可能なコマンドを送信することが行われている。しかし、こうしたコマンド送信は、起動時の投影機器における映像出力が可能な状態に合わせて行われることはなく、映像出力が未だ不可能な状態時に再生指示コマンドが送信されてしまう可能性があった。その場合、映像入力装置から映像データが送られ、投影機器では出力が行われないという事態が発生する。
【手続補正６】
【補正対象書類名】明細書
【補正対象項目名】０００７
【補正方法】変更
【補正の内容】
【０００７】
本発明はこのような問題点に鑑みてなされたものであって、機器起動時の映像出力不可能な時間帯に、外部接続機器から映像データが送信されることを防止した映像出力装置、映像出力方法、及びプログラムを提供することを目的とする。
【手続補正７】
【補正対象書類名】明細書
【補正対象項目名】０００８
【補正方法】変更
【補正の内容】
【０００８】
上記目的を達成するために、請求項１記載の映像出力装置は、外部機器から映像信号を受信する受信手段と、前記受信手段により受信した映像信号に基づく映像を出力する出力手段と、前記受信手段による映像信号の受信が可能であり、かつ前記出力手段による映像の出力が可能でない場合、前記映像信号の送信を停止させる信号を前記外部装置に送信する送信手段とを有することを特徴とする。
【手続補正８】
【補正対象書類名】明細書
【補正対象項目名】０００９
【補正方法】変更
【補正の内容】
【０００９】
本発明によれば、映像出力装置の起動時の映像出力不可能な時間帯に、外部機器から映像データが送信されることを防止できる。すなわち、この時間帯に外部機器で映像再生が進んでしまい、映像出力装置のユーザが、その間の映像を見落とすという事態を回避できる。
【手続補正９】
【補正対象書類名】明細書
【補正対象項目名】００８２
【補正方法】変更
【補正の内容】
【００８２】
１００１：液晶プロジェクタ
１００２：ビデオカメラ
１００３：ＩＥＥＥ１３９４ケーブル
１００４：ビデオデッキ
１００５：スクリーン
１００６：ＩＥＥＥ１３９４ケーブル
２００１：ランプ
２００２：液晶板
２００３：レンズ
２００４：制御部
２００５：インタフェース部
６００１：液晶プロジェクタ
６００２：ビデオカメラ
６００３：ビデオデッキ
６００４：アクセスポイント
６００５：スクリーン
【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
少なくとも結着樹脂、着色剤とを含有するトナー粒子と無機微粒子を有するトナーにおいて、
前記無機微粒子の個数平均粒径が８０ｎｍ乃至１５０ｎｍであり、
走査型プローブ顕微鏡で測定される前記トナー粒子の平均谷深さをＲｖｍ、Ｘ方向の凹凸平均間隔をＷとしたとき、該Ｒｖｍが１２０ｎｍ乃至２００ｎｍであり、
前記Ｒｖｍ、Ｗとの関係が式（１）
０．１５＜Ｒｖｍ／Ｗ＜１．０      （１）
を満足することを特徴とするトナー。
【請求項２】
前記無機微粒子は、ゾルゲル法により得られる球状の疎水性シリカであることを特徴とする請求項１に記載のトナー。
【請求項３】
前記結着樹脂は、少なくともポリエステルユニットを有することを特徴とする請求項１又は２に記載のトナー。
【請求項４】
前記トナーは、２μｍ以上の粒子における平均円形度が０．９４５乃至０．９９０であることを特徴とする請求項１乃至３のいずれかに記載のトナー。
【手続補正２】
【補正対象書類名】明細書
【補正対象項目名】発明の名称
【補正方法】変更
【補正の内容】
【発明の名称】トナー
【手続補正３】
【補正対象書類名】明細書
【補正対象項目名】０００１
【補正方法】変更
【補正の内容】
【０００１】
本発明は、電子写真法、静電記録法、静電印刷法、及びトナージェット法の如き画像形成方法に用いられるトナーに関するものである。
【手続補正４】
【補正対象書類名】明細書
【補正対象項目名】０００８
【補正方法】変更
【補正の内容】
【０００８】
本発明は、従来の技術の上記のような実情に鑑みてなされたものである。すなわち、本発明の目的は、トナーの転写性、現像性、流動性、帯電性を同時に、かつ長期にわたり満足できるトナーを提供することにある。
【手続補正５】
【補正対象書類名】明細書
【補正対象項目名】００１０
【補正方法】変更
【補正の内容】
【００１０】
即ち、本発明は以下の構成を特徴とするトナーに関する。
少なくとも結着樹脂、着色剤とを含有するトナー粒子と無機微粒子を有するトナーにおいて、
前記無機微粒子の個数平均粒径が８０ｎｍ乃至１５０ｎｍであり、
走査型プローブ顕微鏡で測定される前記トナー粒子の平均谷深さをＲｖｍ、Ｘ方向の凹凸平均間隔をＷとしたとき、
該Ｒｖｍが１２０ｎｍ乃至２００ｎｍであり、
前記Ｒｖｍ、Ｗとの関係が式（１）
０．１５＜Ｒｖｍ／Ｗ＜１．０      （１）
を満足することを特徴とするトナー。
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
複数の描画オブジェクトに対する編集処理を実行可能な情報処理装置であって、
選択範囲を指定する指定手段と、
前記指定手段によって指定された選択範囲に含まれる描画オブジェクトの中で、最前面の描画オブジェクトと他の描画オブジェクトによって覆われていない描画オブジェクトとを特定する特定手段と、
前記特定手段により特定されなかった描画オブジェクトを選択対象とせず、前記特定手段により特定された最前面の描画オブジェクトと他の描画オブジェクトによって覆われていない描画オブジェクトとを選択対象として決定する決定手段を有することを特徴とする情報処理装置。
【請求項２】
前記特定手段は、前記描画オブジェクトのデータ領域が他の描画オブジェクトによって覆われているか否かを判定することによって、他の描画オブジェクトによって覆われているか否かを判定することを特徴とする請求項１に記載の情報処理装置。
【請求項３】
前記特定手段は、前記各描画オブジェクトのデータ領域情報と前記各描画オブジェクトの表示属性情報とに基づいて、他の描画オブジェクトに覆われているか否かを判定することを特徴とする請求項１または２に記載の情報処理装置。
【請求項４】
前記他の描画オブジェクト覆われていると判定された第１描画オブジェクトについて、当該第１描画オブジェクトを覆う第２描画オブジェクトに対して特定の表示属性情報が設定されている場合、前記特定手段は、前記第１描画オブジェクトは他の描画オブジェクトに覆われていないと判定することを特徴とする請求項３に情報処理装置。
【請求項５】
前記特定の表示属性情報とは、前記第２描画オブジェクトに対する塗りつぶし設定なし、または、塗りつぶし色が透明であることを特徴とする請求項４に記載の情報処理装置。
【請求項６】
複数の描画オブジェクトに対する編集処理を実行可能な情報処理装置において実行される情報処理プログラムであって、
選択範囲を指定する指定工程と、
前記指定工程によって指定された選択範囲に含まれる描画オブジェクトの中で、最前面の描画オブジェクトと、他の描画オブジェクトと重なっていないによって覆われていない描画オブジェクトとを特定する特定工程と、
前記特定工程により特定されなかった描画オブジェクトを選択対象とせず、前記特定工程により特定された最前面の描画オブジェクトと他の描画オブジェクトによって覆われていない描画オブジェクトとを選択対象として決定する決定工程をコンピュータに実行させるための情報処理プログラム。
【請求項７】
前記特定工程は、前記描画オブジェクトのデータ領域が他の描画オブジェクトによって覆われているか否かを判定することによって、他の描画オブジェクトによって覆われているか否かを判定することを特徴とする請求項６に記載の情報処理プログラム。
【請求項８】
前記特定工程は、前記各描画オブジェクトのデータ領域情報と前記各描画オブジェクトの表示属性情報とに基づいて、他の描画オブジェクトに覆われているか否かを判定することを特徴とする請求項６または７に記載の情報処理プログラム。
【請求項９】
前記他の描画オブジェクト覆われていると判定された第１描画オブジェクトについて、当該第１描画オブジェクトを覆う第２描画オブジェクトに対して特定の表示属性情報が設定されている場合、前記特定工程は、前記第１描画オブジェクトは他の描画オブジェクトに覆われていないと判定することを特徴とする請求項８に情報処理プログラム。
【請求項１０】
前記特定の表示属性情報とは、前記第２描画オブジェクトに対する塗りつぶし設定なし、または、塗りつぶし色が透明であることを特徴とする請求項９に記載の情報処理プログラム。
【請求項１１】
複数の描画オブジェクトに対する編集処理を実行可能な情報処理装置において実行される情報処理方法であって、
選択範囲を指定する指定工程と、
前記指定工程によって指定された選択範囲に含まれる描画オブジェクトの中で、最前面の描画オブジェクトと、他の描画オブジェクトと重なっていないによって覆われていない描画オブジェクトとを特定する特定工程と、
前記特定工程により特定されなかった描画オブジェクトを選択対象とせず、前記特定工程により特定された最前面の描画オブジェクトと他の描画オブジェクトによって覆われていない描画オブジェクトとを選択対象として決定する決定工程を有することを特徴とする情報処理方法。
【手続補正２】
【補正対象書類名】明細書
【補正対象項目名】００１３
【補正方法】変更
【補正の内容】
【００１３】
本発明は、上述した問題点を踏まえてなされてものであり、複数の描画オブジェクトに対する編集処理を実行可能な情報処理装置であって、選択範囲を指定する指定手段と、前記指定手段によって指定された選択範囲に含まれる描画オブジェクトの中で、最前面の描画オブジェクトと他の描画オブジェクトによって覆われていない描画オブジェクトとを特定する特定手段と、前記特定手段により特定されなかった描画オブジェクトを選択対象とせず、前記特定手段により特定された最前面の描画オブジェクトと他の描画オブジェクトによって覆われていない描画オブジェクトとを選択対象として決定する決定手段を有することを特徴とする。
【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
電子ペンにより紙上に記入された情報を受信する受信手段と、
キーボード、マウスを介して情報を入力する入力手段と、
前記受信手段により受信した情報と入力手段により入力された情報を保持するデータ管理手段と、
前記入力手段により入力が行なわれたのち、前記電子ペンにより前記紙上に記録が行なわれると、前記データ管理手段に記憶された情報の紙へのプリントを行なわせるダイアログを表示部に表示させることを特徴とするデータ処理装置。
【請求項２】
前記表示に応じて、プリントが指示されると前記入力手段により入力された情報と前記受信手段により受信済みの情報をプリントさせることを特徴とする請求項１に記載のデータ処理装置。
【請求項３】
電子ペンにより紙上に記入された情報を受信する受信ステップと、
キーボード、マウスを介して情報を入力する入力ステップと、
前記受信ステップにより受信した情報と入力手段により入力された情報を保持するデータ管理ステップと、
前記入力ステップにより入力が行なわれたのち、前記電子ペンにより前記紙上に記録が行なわれると、前記データ管理ステップに記憶された情報の紙へのプリントを行なわせるダイアログを表示部に表示させることを特徴とするデータ処理方法。
【請求項４】
前記表示に応じて、プリントが指示されると前記入力ステップにより入力された情報と前記受信ステップにより受信済みの情報をプリントさせることを特徴とする請求項３に記載のデータ処理方法。
【手続補正２】
【補正対象書類名】明細書
【補正対象項目名】発明の名称
【補正方法】変更
【補正の内容】
【発明の名称】データ処理装置及びその方法
【手続補正３】
【補正対象書類名】明細書
【補正対象項目名】０００１
【補正方法】変更
【補正の内容】
【０００１】
本発明は、データ処理装置及びその方法に関し、より詳細には、病院などの医療における情報化に対し、特に電子カルテを作成するための入力装置及びその情報処理装置を備えたデータ処理装置及びその方法に関するものである。
【手続補正４】
【補正対象書類名】明細書
【補正対象項目名】００１５
【補正方法】変更
【補正の内容】
【００１５】
本発明は、このような問題に鑑みてなされたもので、その目的とするところは、データベース上の医療情報と紙カルテ上に記述された医療情報を完全に同期（一致）させることを可能にしたデータ処理装置及びその方法を提供することにある。
【手続補正５】
【補正対象書類名】明細書
【補正対象項目名】００１７
【補正方法】変更
【補正の内容】
【００１７】
本発明は、このような目的を達成するためになされたもので、請求項１に記載の発明は、電子ペンにより紙上に記入された情報を受信する受信手段と、キーボード、マウスを介して情報を入力する入力手段と、前記受信手段により受信した情報と入力手段により入力された情報を保持するデータ管理手段と、前記入力手段により入力が行なわれたのち、前記電子ペンにより前記紙上に記録が行なわれると、前記データ管理手段に記憶された情報の紙へのプリントを行なわせるダイアログを表示部に表示させることを特徴とする。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】変更
【補正の内容】
【００３０】
以上のように本発明によれば、データベース上に情報を電子端末の入力部（キーボード、マウス）と電子ペンいう２つの入力手段を介して情報が入力させるシステムにおいて、電子ペンにより情報が記録される紙上の情報と、データベース上の情報を同期（一致）させることが可能となる。
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
論理的記録単位で半導体メモリーに静止画データを記録するデータ記録装置であって、
入力された信号を前記半導体メモリーに書き込む静止画記録データに変換する信号処理手段と、
前記静止画記録データを、前記半導体メモリーに書き込むインターフェース手段と、
前記静止画記録データを書き込む前記論理的記録単位の配置を検出する検出手段と、
前記静止画記録データに応じて、前記検出手段による連続する前記論理的記録単位を選択して記録する制御手段と
を備えたデータ記録装置。
【請求項２】
前記制御手段は、前記静止画記録データのデータサイズに応じて、前記論理的記録単位の連続する数を選択する請求項１記載のデータ記録装置。
【請求項３】
前記制御手段は、前記静止画記録データのデータサイズが大きいほど、前記連続する数を大きくする請求項２記載のデータ記録装置。
【請求項４】
前記制御手段は、前記静止画記録データの記録画素数に応じて、前記論理的記録単位の連続する数を選択する請求項１記載のデータ記録装置。
【請求項５】
前記制御手段は、前記静止画記録データの記録画素数が大きいほど、前記連続する数を大きくする請求項４記載のデータ記録装置。
【請求項６】
前記信号処理手段は、圧縮処理を行う圧縮手段をさらに備え、
前記圧縮処理を行う場合に、前記圧縮処理を行わない場合に比べ、前記論理的記録単位の連続する数を小さくする請求項１に記載のデータ記録装置。
【請求項７】
被写体像を撮像する撮像手段と、
前記撮像手段により静止画を連続して撮像する連写手段と、
前記撮像手段の出力を静止画記録データに変換する信号処理手段と、
前記静止画記録データを、論理的記録単位で半導体メモリーに書き込むインターフェース手段と、
前記静止画記録データを書き込む前記論理的記録単位の配置を検出する検出手段と、
前記連写手段による連写時において、生成される前記静止画記録データに応じて、前記検出手段による連続する前記論理的記録単位を選択して記録する制御手段と
を備えた撮像装置。
【請求項８】
前記制御手段は、前記連写を行う場合に、前記連写を行わない場合に比べ、前記論理的記録単位の連続する数を大きくする請求項７に記載の撮像装置。
【手続補正２】
【補正対象書類名】明細書
【補正対象項目名】発明の名称
【補正方法】変更
【補正の内容】
【発明の名称】データ記録装置、及び撮像装置
【手続補正３】
【補正対象書類名】明細書
【補正対象項目名】０００９
【補正方法】変更
【補正の内容】
【０００９】
以上に述べた課題を解決するために、本発明のデータ記録装置は、論理的記録単位で半導体メモリーに静止画データを記録するデータ記録装置であって、入力された信号を前記半導体メモリーに書き込む静止画記録データに変換する信号処理手段と、前記静止画記録データを、前記半導体メモリーに書き込むインターフェース手段と、前記静止画記録データを書き込む前記論理的記録単位の配置を検出する検出手段と、前記静止画記録データに応じて、前記検出手段による連続する前記論理的記録単位を選択して記録する制御手段とを備える。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１４
【補正方法】変更
【補正の内容】
【００１４】
本発明のデータ記録装置は、論理的記録単位で半導体メモリーに静止画データを記録するデータ記録装置であって、入力された信号を前記半導体メモリーに書き込む静止画記録データに変換する信号処理手段と、前記静止画記録データを、前記半導体メモリーに書き込むインターフェース手段と、前記静止画記録データを書き込む前記論理的記録単位の配置を検出する検出手段と、前記静止画記録データに応じて、前記検出手段による連続する前記論理的記録単位を選択して記録する制御手段とを備えるものであり、これにより、記録媒体としてフラッシュメモリーのような記録デバイスを使用して静止画データ記録する機器において、フラッシュメモリーにデータを書き込む際に、連続した領域に選択的にデータを記録するようにし、書き込み速度の低下を軽減することができるものである。
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
画像データを入力し記憶手段に保存管理する画像データ管理装置であって、
画像データを入力する入力手段と、
前記入力手段で画像データを入力する際に、該画像データを基礎画像データとして前記記憶手段に記憶管理するのか、既記憶の基礎画像データに対する更新後の画像データとして記憶管理するのか、或いは、既記憶の基礎画像データから派生した前回の更新画像データに対する更新画像データとして記憶管理するのかを指定する指定手段と、
前記指定手段で基礎画像の指定があった場合、前記入力手段で入力された画像データを、当該画像データを特定する情報と共に前記記憶手段に格納する第１の格納手段と、
前記指定手段で、既記憶の基礎画像データに対する更新後の画像データとして記憶管理するとの指定があった場合、目的とする既記憶の基礎画像データを特定する情報を入力することで、該当する基礎画像データを読み込み、該基礎画像データと前記入力手段で入力する画像データとの差分データを抽出し、抽出した差分データを前記基礎画像データに対する更新履歴情報として前記記憶手段に格納する第２の格納手段と、
前記指定手段で、既記憶の基礎画像データから派生した前回の更新画像データに対する更新画像データとして記憶管理するとの指定があった場合、目的とする既記憶の画像データを特定する情報を入力することで、該前回の更新画像データと前記入力手段で入力する画像データとの差分データを抽出し、抽出した差分データを前記前回の更新画像データに対する更新履歴情報として前記記憶手段に格納する第３の格納手段と、
を備えることを特徴とする画像データ管理装置。
【請求項２】
前記第２の格納手段と前記第３の格納手段との少なくとも一方は、像域分離および文字認識の結果に基づき差分データを抽出することを特徴とする請求項１に記載の画像データ管理装置。
【請求項３】
前記記憶手段に記憶される既記憶の画像データと前記入力手段に入力される画像データとの類似性を判定する判定手段をさらに有しており、
前記判定手段により類似性があると判断された場合に、前記指定手段による指定内容に関わらず、前記第２の格納手段を選択使用することを特徴とする請求項１または請求項２に記載の画像データ管理装置。
【請求項４】
前記判定手段は、既記憶の画像データ内のオブジェクト配置と前記入力手段に入力される画像データ内のオブジェクト配置とを比較することにより、類似性を判定することを特徴とする請求項３に記載の画像データ管理装置。
【請求項５】
画像データを入力し記憶手段に保存管理する画像データ管理装置の制御方法であって、
入力手段が、画像データを入力する入力工程と、
指定手段が、前記入力工程で画像データを入力する際に、該画像データを基礎画像データとして前記記憶手段に記憶管理するのか、既記憶の基礎画像データに対する更新後の画像データとして記憶管理するのか、或いは、既記憶の基礎画像データから派生した前回の更新画像データに対する更新画像データとして記憶管理するのかを指定する指定工程と、
第１の格納手段が、前記指定工程で基礎画像の指定があった場合、前記入力工程で入力された画像データを、当該画像データを特定する情報と共に前記記憶手段に格納する第１の格納工程と、
第２の格納手段が、前記指定工程で、既記憶の基礎画像データに対する更新後の画像データとして記憶管理するとの指定があった場合、目的とする既記憶の基礎画像データを特定する情報を入力することで、該当する基礎画像データを読み込み、該基礎画像データと前記入力工程で入力する画像データとの差分データを抽出し、抽出した差分データを前記基礎画像データに対する更新履歴情報として前記記憶手段に格納する第２の格納工程と、
第３の格納手段が、前記指定工程で、既記憶の基礎画像データから派生した前回の更新画像データに対する更新画像データとして記憶管理するとの指定があった場合、目的とする既記憶の画像データを特定する情報を入力することで、該前回の更新画像データと前記入力工程で入力する画像データとの差分データを抽出し、抽出した差分データを前記前回の更新画像データに対する更新履歴情報として前記記憶手段に格納する第３の格納工程と、
を備えることを特徴とする画像データ管理装置の制御方法。
【請求項６】
コンピュータを請求項１乃至４の何れか一項に記載の画像データ管理装置の各手段として動作させるためのコンピュータ・プログラム。
【手続補正２】
【補正対象書類名】明細書
【補正対象項目名】００１０
【補正方法】変更
【補正の内容】
【００１０】
画像データを入力し記憶手段に保存管理する画像データ管理装置の制御方法において、入力手段が、画像データを入力する入力工程と、指定手段が、入力工程で画像データを入力する際に、画像データを基礎画像データとして記憶手段に記憶管理するのか、既記憶の基礎画像データに対する更新後の画像データとして記憶管理するのか、或いは、既記憶の基礎画像データから派生した前回の更新画像データに対する更新画像データとして記憶管理するのかを指定する指定工程と、第１の格納手段が、指定工程で基礎画像の指定があった場合、入力工程で入力された画像データを、画像データを特定する情報と共に記憶手段に格納する第１の格納工程と、第２の格納手段が、指定工程で、既記憶の基礎画像データに対する更新後の画像データとして記憶管理するとの指定があった場合、目的とする既記憶の基礎画像データを特定する情報を入力することで、基礎画像データを読み込み、基礎画像データと入力工程で入力する画像データとの差分データを抽出し、抽出した差分データを基礎画像データに対する更新履歴情報として記憶手段に格納する第２の格納工程と、第３の格納手段が、指定工程で、既記憶の基礎画像データから派生した前回の更新画像データに対する更新画像データとして記憶管理するとの指定があった場合、目的とする既記憶の画像データを特定する情報を入力することで、前回の更新画像データと入力工程で入力する画像データとの差分データを抽出し、抽出した差分データを前回の更新画像データに対する更新履歴情報として記憶手段に格納する第３の格納工程とを備える。
【手続補正３】
【補正対象書類名】明細書
【補正対象項目名】００１１
【補正方法】削除
【補正の内容】